(57)【要約】【課題】各電源が、ある電圧の範囲にわたって変動することが可能であり、いずれか１つの電源が他のいずれの電源よりも高い、または低い電圧であることが可能である、２つ以上の電源により１つまたは複数のチャージポンプの配列を操作させるための回路および方法を提供する。【解決手段】チャージポンプの配列の出力は、電子ディスプレイを駆動するために使用される。使用可能な最強の電源が選択され、１または複数のチャージポンプの配列は、実際の最強の供給電圧の値により再構成される。供給電圧源が変更する場合、チャージポンプの動作は、再構成に必要な短時間の間、中断することが可能である。チャージポンプは、作動している間、供給源が変更する場合は、中断可能、再構成可能、および解除可能もしくは再開可能であり、または選択された供給電圧が変更する場合は、中断せずに再構成可能である。【選択図】図１
2009261236.tif 000002
【特許請求の範囲】
【請求項１】
各電源が、ある電圧の範囲にわたって変動することが可能であり、いずれか１つの電源が他のいずれの電源よりも高い、または低い電圧であることが可能である２つ以上の電源により、電力を電子デバイスに供給する１つまたは複数のチャージポンプの配列を操作するための方法であって、
（１）１つまたは複数の再構成可能なチャージポンプの配列、複数の供給電圧、前記供給電圧を測定する手段、制御ユニット、および１つまたは複数のチャージポンプの前記配列の出力電圧を必要とする電子デバイスを備えるステップと、
（２）最強の供給源を選択し、選択された供給源の電圧を測定するステップと、
（３）選択された電力源によりチャージポンプの前記配列を構成し、その操作を開始する、ステップと、
（４）電源変更プロセスを開始するステップであって、
（５）前記電子デバイスがＯＮであるかを確認し、肯定的である場合は、ステップ（６）に進み、そうでなければ、チャージポンプの前記配列をオフにし、ステップ（１２）に進む、ステップ、
（６）供給電圧源の変更が要求されているかを確認し、否定的である場合は、ステップ（５）に進み、そうでなければ、ステップ（７）に直接進む、ステップ、
（７）チャージポンプの前記配列を中断し、チャージポンプの前記配列を供給源から遮断し、新しい供給源を選択し、その供給源に切り替えるステップ、
（８）選択された供給電圧を測定するステップ、
（９）選択された電源によりチャージポンプの前記配列を構成するステップ、
（１０）チャージポンプの前記配列を新しい供給源に接続するステップ、
（１１）チャージポンプの前記配列の操作を再開し、ステップ（５）に進む、ステップ、および
（１２）終了
を含むステップと
を含む方法。
【請求項２】
チャージポンプアクティブプロセスが、前記電源変更プロセスと並行して行われ、前記チャージポンプアクティブプロセスは、
（１３）規定の遅延時間を待機するステップと、
（１４）前記電子デバイスがＯＮであるかを確認し、肯定的である場合は、ステップ（１５）に進み、そうでなければ、ステップ（１８）に進む、ステップと、
（１５）選択された供給電圧を測定するステップと、
（１６）チャージポンプの前記配列の構成変更が要求されているかを確認し、否定的である場合は、ステップ（１３）に進み、そうでなければ、ステップ（１７）に進む、ステップと、
（１７）測定された前記供給電圧により、チャージポンプの前記配列を構成し、ステップ（１３）に進むステップと、
（１８）終了とを含む、
請求項１に記載の方法。
【請求項３】
前記電源変更プロセスは、前記チャージポンプアクティブプロセスよりも優先順位を持つ、請求項２に記載の方法。
【請求項４】
前記遅延時間は、１０ミリ秒の大きさのオーダーである、請求項２に記載の方法。
【請求項５】
チャージポンプの前記配列を前記中断するステップが、クロックデバイスを介して開始される、請求項４に記載の方法。
【請求項６】
前記クロックデバイスは、グリッチのない中断機能を有するオシレータであり、前記制御ユニットは、中断信号を前記オシレータに与える、請求項４に記載の方法。
【請求項７】
チャージポンプの前記配列の出力におけるコンデンサは、１つまたは複数のチャージポンプの前記配列が中断される間、出力電圧を一定に保つ、請求項６に記載の方法。
【請求項８】
前記電子デバイスは、電子ディスプレイである、請求項１に記載の方法。
【請求項９】
前記電子デバイスは、電子メモリデバイスである、請求項１に記載の方法。
【請求項１０】
前記チャージポンプは、一連の２つ以上の縦続段を含む、請求項１に記載の方法。
【請求項１１】
複数のチャージポンプは、電力を供給される複数の電子デバイスがある場合に使用される、請求項１に記載の方法。
【請求項１２】
各電源が、ある電圧の範囲にわたって変動することが可能であり、いずれか１つの電源が他のいずれの電源よりも高い、または低い電圧であることが可能である、２つ以上の電源により電力を電子デバイスに供給する１つまたは複数のチャージポンプの配列を操作させるためのシステムであって、
入力がチャージポンプの供給スイッチブロックに接続され、出力がコンデンサの第１の端子に接続されている１つまたは複数のチャージポンプの配列、
複数の供給電圧を含み、
前記チャージポンプの供給スイッチブロックは、前記供給電圧および１つまたは複数のチャージポンプの前記配列の間に接続され、デジタル制御ユニットによって制御され、
前記コンデンサは、接地に接続されている第２の端子を有し、
前記デジタル制御ユニットは、供給源の変更についての情報を供給モニタから受け取り、供給電圧のデジタル値をアナログ・デジタル・コンバータから受け取り、１つまたは複数のチャージポンプの前記配列の構成変更を制御し、前記チャージポンプは供給電圧源の変更により再構成される間、オシレータを介して、チャージポンプの前記配列の操作の中断を制御しており、
前記供給モニタは、入力を前記供給電圧から受け取り、メイン供給スイッチブロックを制御し、
前記メイン供給スイッチブロックは、前記供給電圧および前記アナログ・デジタル・コンバータの間に接続され、
前記アナログ・デジタル・コンバータは、入力および出力を有し、前記入力が前記供給電圧のうちの１つであり、前記出力は前記デジタル制御ユニットに接続され、
前記オシレータは、中断信号を前記デジタル制御ユニットから受け取り、１つまたは複数のチャージポンプの前記配列のクロック入力ポートに接続されている前記出力を有する、
システム。
【請求項１３】
各電源の電圧は、前記供給モニタによって測定され、前記最強の電源は、所定の階層により選択され、前記メイン供給スイッチブロックを介して、アナログ・デジタル・コンバータに切り替えられる、請求項１２に記載のシステム。
【請求項１４】
前記電源は、電池、カード端子接点およびカード端子コイルである、請求項１３に記載のシステム。
【請求項１５】
最強から最弱への前記所定の階層は、前記カード端子接点、前記カード端子コイルおよび前記電池である、請求項１４に記載のシステム。
【請求項１６】
前記供給電圧源に対する変更が前記供給モニタによって検出され、それにより、前記デジタル制御ブロックを介して前記オシレータを直ちに中断し、このため前記配列の再構成に必要な時間の間、チャージポンプの前記配列の操作を中断する、請求項１２に記載のシステム。
【請求項１７】
前記システムのすべての構成要素は、ＡＳＩＣに集積化される、請求項１２に記載のシステム。
【請求項１８】
前記ＡＳＩＣは、スマートカードに集積化される、請求項１７に記載のシステム。
【請求項１９】
前記電子デバイスは電子ディスプレイである、請求項１２に記載のシステム。
【請求項２０】
前記電子デバイスは、電子メモリデバイスである、請求項１２に記載のシステム。
【請求項２１】
前記チャージポンプは、一連の２つ以上の縦続段を含む、請求項１２に記載のシステム。
【請求項２２】
複数のチャージポンプは、電力を供給される複数の電子デバイスがある場合に使用される、請求項１２に記載のシステム。
【請求項２３】
前記デジタル制御部は、ＶＨＳＩＣハードウェア記述言語（ＶＨＤＬ）で書かれ、前記電源の所定の供給階層を含む標準ロジックライブラリに合成される、請求項１２に記載のシステム。
【発明の詳細な説明】
【技術分野】
【０００１】
本発明は、概して、チャージポンプに関し、より詳細には、それぞれの電源が、ある電圧の範囲にわたって変動することが可能であり、いずれか１つの電源が他の電源よりも高い、または低い電圧であることが可能である、複数の電源のうちの１つにより動作することのできるチャージポンプに関する。
【背景技術】
【０００２】
電子ディスプレイ（例えば、ＬＣＤ、電気泳動ディスプレイなど）は、一般に、動作するのには、例えばチャージポンプなどの電圧マルチプライヤを必要とする。種々の電圧出力を有する複数の（例えば、商用電源、電池）電源が使用可能である場合、
ａ）ディスプレイおよびそのドライバを正確に動作させるために出力電圧を維持し、
ｂ）チャージポンプに接続される構成要素に対する損傷を防ぎ、
ｃ）チャージポンプ自体に対する損傷を防ぐ
ために、チャージポンプの再構成を行う必要がある。
【０００３】
このような種々の電力源の例は、電池、端子接点、または端子コイルであることが可能である。ディスプレイドライバの動作電圧を供給するチャージポンプなどのＤＣ・ＤＣコンバータの設計者にとって、各電源が、ある電圧の範囲にわたって変動することが可能であり、いずれか１つの電源が他のいずれの電源よりも高い、または低い電圧であることが可能である、２つ以上の電源のうちの１つにより正確に動作することのできる回路および方法を実現することは課題である。
【０００４】
チャージポンプを外部電圧源に対して調整することに取り組んだ既知の特許、または特許公報があり、
米国特許（Ｈａｅｂｅｒｌｉらに対する米国特許第６，３７０，０７５号および第６，７６０，２６２号）は、集積回路に対する供給電圧の電圧レベルを検出する集積回路を開示している。チャージポンプ回路を含む集積回路上の回路は、供給電圧の電圧レベルにおいて、より効果的に、またはより効率的に動作するように調整する。
【０００５】
さらには、ディスプレイドライバ用チャージポンプに取り組んだ既知の特許、または特許公報があり、
米国特許（Ｏｕらに対する米国特許第７，１５６，３１３号）は、ディスプレイパネルを含むが、電池を含まない、接触／非接触の通信インターフェース、マイクロプロセッサ、ＥＥＰＲＯＭ、整流器／電圧調整器、ディスプレイドライバ、内部に配置されるチャージポンプ、および上部に配置されるディスプレイパネルを有するＩＣカードを提案している。マイクロプロセッサは、外部データを受け取り、そのデータをディスプレイパネル上に表示し、それにより、ユーザは、外部データを調べることができるようになる。ディスプレイパネルは、データが表示されると、ディスプレイパネルに対する持続的な電力供給は必要でなく、したがって、表示されたデータは、データが更新される次のときまで持続的に保存されることになるという機能を有する二重の定常状態機能を示す。このように、ユーザは、電池を使用する必要がなく、電池の使用寿命に悩まされるのを回避することが可能である。
【０００６】
米国特許（Ｎｅｇｏｉに対する米国特許第６，８０１，０７７号）は、チャージポンプデバイスおよびチャージポンプデバイスを有するディスプレイドライバを開示している。さらには、チャージポンプデバイスを使用するディスプレイドライバを含むディスプレイモジュール、およびこのようなディスプレイモジュールを有する通信端末に対して開示している。供給電圧として、より高い電圧を発生させるのにチャージポンプが必要であるデバイスを提供するために、少なくとも２つの段を含むチャージポンプデバイスが提案され、それによって、段（Ｓ）は、供給電圧よりも高い電圧を発生させるように配列されているスイッチおよびチャージデバイスを含み、それによって、複数の段は、直列に配列され、チャージポンプの所要増倍率は、定義可能な数の段を活動状態／非活動状態にすることによって調整可能であり、それによって、それぞれの段のスイッチは、同様に配列される。それによって、供給電圧の自由にプログラム可能な増倍率が実現され、同時に、最大増倍率より小さい増倍率をプログラムすることによって、電力消費において最適化されるスイッチをチャージポンプ内に有することが実現されることになる。
【０００７】
米国特許（Ｙｏｎｅｎａｙａｍａに対する米国特許第７，１９０，３５９号）は、高精度に、かつ信頼性を落とさずに、出力電圧を調整することが可能であるディスプレイドライバ、電気光学デバイス、およびディスプレイ駆動方法を開示している。ディスプレイドライバは、出力電圧を調整するための電子量値を生成する電子量値生成回路と、電子量値に基づいて修正された標準電圧を使用して出力電圧を生成する電力供給回路と、ディスプレイデータに対応する出力電圧に基づいて電気光学要素を駆動する駆動回路と、電子量絶対値を設定するための絶対値設定レジスタとを含む。駆動回路は、駆動される電気光学要素により設定された所与の特性値と、電子量値によってとられる可能性のある範囲の中心値との差に対応する修正値を使用して、電子量絶対値を修正し、それによって、電子量値を生成する。
【先行技術文献】
【特許文献】
【０００８】
【特許文献１】米国特許第６，３７０，０７５号
【特許文献２】米国特許第６，７６０，２６２号
【特許文献３】米国特許第７，１５６，３１３号
【特許文献４】米国特許第６，８０１，０７７号
【特許文献５】米国特許第７，１９０，３５９号
【発明の概要】
【発明が解決しようとする課題】
【０００９】
本発明の主な目的は、各電源が、ある電圧の範囲にわたって変動することが可能であり、いずれか１つの電源が他のいずれの電源よりも高い、または低い電圧であることが可能である、２つ以上の電源により１つまたは複数のチャージポンプの配列を操作させるための方法およびシステムを実現することである。
【００１０】
本発明の別の目的は、チャージポンプの出力電圧を維持しながらも、再構成に必要な短時間の間、チャージポンプの操作を中断することである。
本発明の別の目的は、複数の電源の中から最強の電源を選択することである。
【００１１】
本発明の別の目的は、入ってくる供給電圧値の変更により、チャージポンプを再構成することである。
本発明の別の目的は、入ってくる供給電圧源の変更により、チャージポンプを再構成することである。
【課題を解決するための手段】
【００１２】
本発明の目的により、それぞれの電源が、ある電圧の範囲にわたって変動することが可能であり、いずれか１つの電源が他のいずれの電源よりも高い、または低い電圧であることが可能である、２つ以上の電源により１つまたは複数のチャージポンプの配列を操作させるための方法が実現された。発明された方法は、まず、以下のステップ、（１）１つまたは複数の再構成可能なチャージポンプの配列、複数の供給電圧、その供給電圧を測定する手段、制御ユニット、および１つまたは複数のチャージポンプの配列の出力電圧を必要とする電子デバイスを備えるステップと、（２）最強の供給源を選択し、選択された供給源の電圧を測定するステップと、（３）選択された電力源によりチャージポンプの配列を構成し、その操作を開始する、ステップとを含む。これらのステップの後には、まず、電子デバイスがＯＮであるかを確認し、肯定的である場合は、ステップ（６）に進み、そうでなければ、チャージポンプの配列をオフにし、ステップ（１２）に進む、ステップ（５）と、供給電圧源の変更が要求されているかを確認し、否定的である場合は、ステップ（５）に進み、そうでなければ、ステップ（７）に直接進む、ステップ（６）と、チャージポンプの配列を中断し、チャージポンプの配列を供給源から遮断し、新しい供給源を選択し、その供給源に切り替えるステップ（７）とを含む電源変更プロセスが続く。電源変更プロセスの最終ステップは、選択された供給電圧を測定するステップ（８）と、選択された電源によりチャージポンプの配列を構成するステップ（９）と、チャージポンプの配列を新しい供給源に接続するステップ（１０）と、チャージポンプの配列の操作を再開し、ステップ（５）に進む、ステップ（１１）と、終了（１２）とである。
【００１３】
本発明の目的により、それぞれの電源が、ある電圧の範囲にわたって変動することが可能であり、いずれか１つの電源が他のいずれの電源よりも高い、または低い電圧であることが可能である、２つ以上の電源により１つまたは複数のチャージポンプの配列を操作させるためのシステムが実現された。発明されたシステムは、まず、入力がチャージポンプの供給スイッチブロックに接続され、出力がコンデンサの第１の端子に接続されている１つまたは複数のチャージポンプの配列、複数の供給電圧を含み、チャージポンプの供給スイッチブロックは、供給電圧および１つまたは複数のチャージポンプの配列の間に接続され、デジタル制御ユニットによって制御され、コンデンサは、接地に接続されている第２の端子を有する。さらには、システムは、供給源の変更についての情報を供給モニタから受け取り、供給電圧のデジタル値をアナログ・デジタル・コンバータから受け取り、１つまたは複数のチャージポンプの配列の構成変更を制御し、チャージポンプが供給電圧源の変更により再構成される間、オシレータを介して、チャージポンプの配列の操作の中断を制御しているデジタル制御ユニットと、入力を供給電圧から受け取り、メイン供給スイッチブロックを制御する供給モニタと、供給電圧およびアナログ・デジタル・コンバータの間に接続されているメイン供給スイッチブロックと、入力および出力を有し、その入力が供給電圧のうちの１つであり、その出力がデジタル制御ユニットに接続されているアナログ・デジタル・コンバータと、中断信号をデジタル制御ユニットから受け取り、１つまたは複数のチャージポンプの配列のクロック入力ポートに接続されている出力を有するオシレータとを含む。
【００１４】
この説明の重要部分を形成する添付の図面には、以下が示されている。
【図面の簡単な説明】
【００１５】
【図１】本発明の好ましい実施形態を示す概略ブロック図である。
【図２】それぞれの電源が、ある電圧の範囲にわたって変動することが可能であり、いずれか１つの電源が他のいずれの電源よりも高い、または低い電圧であることが可能である、２つ以上の電源により１つまたは複数のチャージポンプの配列を操作させるための方法の基本ステップを示すフローチャートである。
【発明を実施するための形態】
【００１６】
好ましい実施形態は、各電源が、ある電圧の範囲にわたって変動することが可能であり、いずれか１つの電源が他のいずれの電源よりも高い、または低い電圧であることが可能である、２つ以上の電源のうちの１つによりチャージポンプを操作させるための方法およびシステムを開示する。
【００１７】
本発明の好ましい実施形態において、発明されたシステムは、チャージポンプに対する電源が、例えば、（１）電池、（２）カード端子接点、および（３）カード端子コイルのうちのいずれ、またはそれらのすべてであることが可能であるディスプレイドライバに、チャージポンプが電力を供給しているスマートカードの用途に使用される。他の電力供給源も同様に、本発明により使用可能になる。本発明は、ディスプレイドライバに動作電圧を供給すること以上に、チャージポンプを使用した多数の用途に使用可能になることを理解されたい。本発明は、例えば、ＬＣＤ、ＯＬＥＤ、ＭＥＭ、電気泳動ディスプレイもしくはＥＰＲＯＭ、ＥＥＰＲＯＭ、または同様のメモリデバイスなど、出力が、入ってくる電圧よりも（通常は）高いチャージポンプからの定電圧を必要とするいずれの回路にも使用可能である。
【００１８】
図１は、発明されたシステムの好ましい実施形態のブロック図を示す。このブロック図は、例えば、排他的に電力を供給することが可能である電池、カード端子接点およびカード端子コイルの例えば、３つの供給電圧電源１、２および３、チャージポンプ供給スイッチ４、１つまたは複数の構成可能なチャージポンプ５の配列、ならびに供給モニタ６およびメイン供給スイッチ９を含む。ディスプレイ７がＯＮである場合、チャージポンプ５は作動しており、アクティブ入力電圧１、２または３は、ＡＤＣ１０によってメイン供給スイッチ９を介して継続的に（例えば、１０ミリ秒ごとに）監視され、徐々に変更する電圧がそれに応じられるようになる。これらの状況下で、チャージポンプは、オンザフライで再構成される。用語「オンザフライ」は、具体的には、チャージポンプを、それが作動している間に、再構成することを意味する。チャージポンプは、作動している間、供給源が変更する場合は、中断可能、再構成可能、および解除可能もしくは再開可能であり、または選択された供給電圧が変更する場合は、中断せずに、単にオンザフライで再構成可能である。
【００１９】
好ましい実施形態においては、一連の２つ以上の縦続段を含むチャージポンプが使用され、その数は、入力電圧および所要の出力電圧に左右される。複数のチャージポンプは、複数のディスプレイ（または、例えばメモリデバイス）がある場合に必要になる場合がある。
【００２０】
供給モニタ６は、１つまたは複数の供給電圧の存在を検出し、所定の規則により、デジタル制御ユニット８と連携して、チャージポンプ供給スイッチ４およびメイン供給スイッチ９を制御する。メイン供給スイッチ９は、選択された供給電圧１、２または３を、アナログ・デジタル・コンバータ１０の入力電圧ＶＩＮに接続する。チャージポンプ供給スイッチ４は、選択された供給電圧１、２または３を、１つまたは複数の構成可能なチャージポンプ５（１つのチャージポンプだけが図１には示されている）の配列の入力電圧ＶＩＮＣＰに接続する。アナログ・デジタル・コンバータ１０は、選択された供給電圧を測定する。デジタル制御ユニット８が、供給モニタ６、チャージポンプ供給スイッチ４、１つまたは複数の構成可能なチャージポンプ５の配列、グリッチのない中断機能を有するオシレータ１１、およびアナログ・デジタル・コンバータ１０に接続されている。デジタル制御ユニット８は、電源変更についての情報を供給モニタ６から受け取り、選択された供給電圧の電圧レベルをアナログ・デジタル・コンバータ１０から受け取り、チャージポンプ５の配列の再構成を制御している。１つまたは複数の再構成可能なチャージポンプ５の配列の出力における貯蔵コンデンサ１２が、１つまたは複数のチャージポンプ５の配列が中断される比較的短時間、電圧を一定に保つ。本発明の好ましい実施形態においては、１つまたは複数のチャージポンプ５の配列の出力電圧は、ディスプレイ７を駆動している。デジタル制御部８は、ＶＨＳＩＣハードウェア記述言語ＶＨＤＬで書かれ、標準ロジックライブラリに合成される。それは、電源の所定の供給階層を含む。この好ましい実施形態においては、ディスプレイを除いて、示されているすべての構成要素がＡＳＩＣに集積化される。
【００２１】
選択された供給電圧源が変更する場合（すなわち、１つの電源が、別の電源に交換されると）、チャージポンプクロック、すなわち、クロック入力を１つまたは複数のチャージポンプ５の配列に与える、グリッチのない中断機能を有するオシレータ１１は、デジタル制御ユニット８を介して、供給モニタ６からの信号によって、直ちに中断され、選択されたチャージポンプ供給スイッチ４は開放され、入ってくる供給は再測定され、チャージポンプ配列５は、新しい入力電圧に対応するように再構成される。再構成が完了すると、チャージポンプ供給スイッチ４は新しい電源を選択するために閉じられて、オシレータ１１は解除され、チャージポンプ５は動作を再開する。
【００２２】
図２は、それぞれの電源が、ある電圧の範囲にわたって変動することが可能であり、いずれか１つの電源が他のいずれの電源よりも高い、または低い電圧であることが可能である、２つ以上の電源により１つまたは複数のチャージポンプの配列を操作させるための方法の基本ステップのフローチャートを示す。図２の方法は、本発明の好ましい実施形態、主には、ディスプレイの動作電圧を供給するチャージポンプを示し、チャージポンプが、他のデバイスの動作電圧も同様に供給することが可能になることは明らかである。ステップ２０は、１つまたは複数の再構成可能なチャージポンプの配列、複数の供給電圧、その供給電圧を測定する手段、および制御ユニットを備えることを説明している。次のステップ２１は、必要に応じて、ディスプレイを起動することを示している。ステップ２２においては、これらの電源の最強のものが選択され、選択された電圧が測定される。「最強」電力の電源は、「最高」電力の電源を意味するものでも暗示するものでもないことを理解されたい。３つの異なる供給源があるこの特定の実装においては、最強から最弱への階層は、例えば、接点、コイル、電池である。しかし、それぞれの供給源の電圧範囲は、それぞれの電圧が、１．８Ｖ、２．５Ｖおよび３Ｖであることが可能になることを意味している。ステップ２３は、選択された供給電圧により、１つまたは複数の構成可能なチャージポンプの配列の構成と、その動作の開始を示している。チャージポンプの配列をＯＮにした後、２つの並行プロセス、すなわち、「チャージポンプ（ＣＰ）アクティブプロセス」および「電源変更プロセス」が続く。
【００２３】
「ＣＰアクティブプロセス」の第１のステップ２４は、好ましい実施形態においては、ほぼ１０ミリ秒ほどの大きさの規定期間の待機時間である。また、他の待機時間も可能である。次のステップ２５は、ディスプレイがＯＮであるかを確認することであり、否定的である場合は、プロセスフローはＥＮＤに進み、そうでない場合は、プロセスフローはステップ２６に進み、選択された電圧源の電圧が測定される。次のステップ２７は、チャージポンプの構成が要求されているかを確認することであり、肯定的である場合は、チャージポンプは、電流供給電圧の変更により、ステップ２８において再構成され、そうでない場合は、プロセスフローは、ステップ２４の待機に戻る。供給電圧の電流源の電圧レベルが変更する場合、チャージポンプの再構成が、チャージポンプの動作を全く中断することなく行われることが可能であることに留意されたい。あるいは、チャージポンプの動作は、再構成に必要な時間の間は、中断することも可能である。
【００２４】
「電源変更プロセス」の第１のステップ２００は、ディスプレイがＯＮであるかを確認することであり、否定的である場合は、プロセスフローは、ステップ２０１に進み、チャージポンプをオフにし、次いで、ＥＮＤに進み、そうでない場合は、プロセスフローは、ステップ２０２に進み、電力供給源が変更される必要があるかの確認が行われる。この確認が否定的である場合は、プロセスフローは、ステップ２００の確認に戻り、そうでない場合は、プロセスフローは、１つまたは複数のチャージポンプの配列の中断および遮断と、新しい電力供給源に対する選択および関連する接続を開示するステップ２０３に進む。次のステップ２０４においては、新しいの供給電圧源が供給電圧を測定するための手段によって測定される。ステップ２０５は、新しい供給電圧の測定により、１つまたは複数のチャージポンプの配列の再構成について説明し、ステップ２０６においては、１つまたは複数のチャージポンプの配列は、新しい供給電圧源に接続される。最終的には、ステップ２０７において、チャージポンプ５の配列の操作は再開され、プロセスフローはステップ２００に戻る。
【００２５】
ステップ２００〜２０７を含む「電源変更プロセス」は、「電源変更プロセス」が、「ＣＰアクティブプロセス」よりも優先順位を持っていても、ステップ２４〜２８を含む「ＣＰアクティブプロセス」と並行して動作することに留意されたい。「電源変更プロセス」の優先順位は、「ＣＰアクティブプロセス」のステップ２４の待機時間によって確保される。
【００２６】
本発明を具体的に示し、その好ましい実施形態を参照して説明してきたが、当業者には、形態および詳細の様々な変更が、本発明の精神および範囲から逸脱することなく行われることが可能であることは理解されるであろう。
【符号の説明】
【００２７】
１  供給電圧電源
２  供給電圧電源
３  供給電圧電源
４  チャージポンプ供給スイッチ
５  チャージポンプ
６  供給モニタ
７  ディスプレイ
８  デジタル制御ユニット
９  メイン供給スイッチ
１０  アナログ・デジタル・コンバータ
１１  オシレータ
１２  貯蔵コンデンサ
【図１】
2009261236.tif 000003
【図２】
2009261236.tif 000004
【外国語明細書】
2009261236000001.pdf